(57)【特許請求の範囲】
【請求項１】
エンジンからの動力をロータリ部材に伝達し、該エンジンの下方かつ、前記ロータリ部材の上方にフェンダを機体フレームに一体に設けると共に、該フェンダの後方を被覆する後方フェンダを備えた歩行型移動農機において、
前記機体フレームの後方に後方ヒッチを固設し、該後方ヒッチに前記後方フェンダを回転自在に軸支すると共に、該後方フェンダに一体にピンを設け、
前記後方ヒッチに、前記ピンを係合し得る複数の固定用係合部及び前記ピンを所定範囲で移動自在とし得る凹部を有する位置決めプレートを固定し、
前記複数の固定用係合部及び凹部のいずれか１個に前記ピンを係合して、前記後方フェンダを、回動自在な回動許容位置と、該回動許容位置の両端側にそれぞれ位置する固定位置とに切換自在とした、
ことを特徴とする歩行型移動農機。
【発明の詳細な説明】
【技術分野】
【０００１】
本発明は、ロータリ部材で走行しつつ耕耘する管理機等の歩行型移動農機に係り、詳しくはロータリ部材などによる泥土や石などの飛散を防止するフェンダの取付け構造に関する。
【背景技術】
【０００２】
従来、ミッションケースの耕耘軸（出力軸）に取付けられたロータリ部材（耕耘ロータ）の上方を覆うように配設されたフェンダ（主フェンダ）を備え、その後端にロータリ部材の後方を保護する後方フェンダ（補助フェンダ）を取付けると共に、該後方フェンダの取付け高さを調整可能に構成した歩行型移動農機（小型管理機）が案出されている（特許文献１参照）。
【０００３】
上記フェンダは、エンジンの下方においてロータリ部材の上方を覆う板状部材であって、その前後端は下方に向って軽微に湾曲し、該後端には取付けボルトが突設されている。フェンダの後端には該取付けボルトによって後方フェンダが垂下連設されている。
【０００４】
後方フェンダの上端部には、取付けボルトを挿通する孔が、下端部に向って一定の長さをもって縦長に形成されており、取付け位置を孔の長手方向において調整することによって、後方フェンダの取付け高さの調整をしている。
【０００５】
【特許文献１】実開昭５８−１６３３７２号公報
【発明の開示】
【発明が解決しようとする課題】
【０００６】
しかし、特許文献１記載の歩行型移動農機は、フェンダの後端全面に亘って後方フェンダが形成されていると共に、該後方フェンダの高さ位置のみ調整可能であるため、被装着部材（移動尾輪等）と後方フェンダとが干渉することがあった。
【０００７】
そこで、後方フェンダを、回動自在な回動許容位置と、その回動端側にて固定される固定位置とに切換え可能に構成することにより、様々な被装着部材が取付け可能で作業効率の良い歩行型移動農機を提供することを目的とする。
【課題を解決するための手段】
【０００８】
本発明は、エンジン（３２）からの動力をロータリ部材（３３）に伝達し、該エンジン（３２）の下方かつ、前記ロータリ部材（３３）の上方にフェンダ（５０）を機体フレーム（３１）に一体に設けると共に、該フェンダ（５０）の後方を被覆する後方フェンダ（１）を備えた歩行型移動農機（３０）において、
前記機体フレーム（３１）の後方に後方ヒッチ（５）を固設し、該後方ヒッチに前記後方フェンダ（１）を回転自在に軸支すると共に、該後方フェンダに一体にピン（７ａ）を設け、
前記後方ヒッチ（５）に、前記ピンを係合し得る複数の固定用係合部（７ｃ，７ｄ）及び前記ピンを所定範囲で移動自在とし得る凹部（７ｅ）を有する位置決めプレート（７’）を固定し、
前記複数の固定用係合部（７ｃ，７ｄ）及び凹部（７ｅ）のいずれか１個に前記ピン（７ａ）を係合して、前記後方フェンダ（１）を、回動自在な回動許容位置（ｃ〜ｄ）と、該回動許容位置（ｃ〜ｄ）の両端側にそれぞれ位置する固定位置（ａ，ｂ）とに切換自在とした、
ことを特徴とする歩行型移動農機にある。
【０００９】
前記固定位置（ａ，ｂ）は、前記回動許容位置（ｃ〜ｄ）の下端側に設けられた下限固定位置（ｂ）とし、前記切換え部材（７）によって前記後方フェンダ（１）を、該下限固定位置（ｂ）と、該回動許容位置（ｃ〜ｄ）とに適宜に切換え可能に構成した。
【００１０】
前記固定位置（ａ，ｂ）は、前記回動許容位置（ｃ〜ｄ）の上端側に設けられた上限固定位置（ａ）とし、前記切換え部材（７）によって前記後方フェンダ（１）を、該上限固定位置（ａ）と、該回動許容位置（ｃ〜ｄ）とに適宜に切換え可能に構成した。
【００１１】
なお、括弧内の符号等は、図面と対照するためのものであるが、これにより特許請求の範囲に何等影響を及ぼすものではない。
【発明の効果】
【００１２】
本発明によると、後方フェンダを、回動許容位置において回動自在とし、その回動端側に固定可能な固定位置を設けると共に、切換え部材によって上記回動許容位置と、固定位置とを適宜に選択可能に構成したことにより、該後方フェンダを固定位置にすることによって、後方フェンダと被装着部材とは接触することがない。そのため、該後方フェンダが被装着部材の取付けの妨げになることはなく、歩行型移動農機の作業を阻害することもない。作業者は、それにより後方フェンダを装着した状態で様々な作業機を歩行型移動農機に容易に取付けることが出来ると共に、後方フェンダに阻害されることなくスムーズに効率よく作業をすることが出来る。
【００１３】
後方フェンダの固定位置を、回動許容位置の下端側に設けられた下限固定位置にすることによって、移動尾輪などの被装着部材を後方フェンダと干渉させることなく取付けることが出来る。また、後方フェンダが歩行型移動農機の作業を阻害することもない。
【００１４】
後方フェンダの固定位置が、少なくとも回動許容位置の上端側に設けられた上限固定位置を有することによって、後方フェンダを取付けた状態で上限固定位置において、培土器などの被装着部材を取付けることが出来る。また、上限固定位置では、後方フェンダと圃場面とが接触しないため、通常よりも深く耕耘することや、移動尾輪等を反転して使用することも出来る。
【００１５】
更に、後方フェンダの固定位置を、上限固定位置と下限固定位置とにすることによって、後方フェンダの位置を状況に応じて変化させ、後方フェンダを装着した状態で様々な被装着部材の取付けが出来ると共に歩行型移動農機の作業の幅が広がり、作業効率を向上させることができる。
【発明を実施するための最良の形態】
【００１６】
以下、本発明の実施の形態について図面に基づいて説明する。図３（ａ），（ｂ）に示すように、本発明に係る歩行型移動農機としての管理機３０は、上下に細長く構成されたミッションケース３１、エンジン３２、該エンジン３２の駆動力により回転して耕耘するロータリ爪（ロータリ部材）３３及び上方への泥土及び石の跳ね上がりを防止するフェンダ５０を備えている。
【００１７】
機体フレームとして構成されるミッションケース３１は、縦長の略々長方形状の部材であり、上下方向に亘って斜めに傾斜して配設されている。該ミッションケース３１の上部にはエンジン３２が搭載されていると共に、下端部において機体の左右方向に耕耘軸３３ａが延設されており、該耕耘軸３３ａにはロータリ爪３３が設けられている。
【００１８】
また、上記エンジン３２の上方には、大径の燃料キャップ３４を備えた燃料タンク３５が配設され、その側方にはリコイルロープ３８及びマフラ３７が配設されている。なお、該燃料タンク３５は、タンクカバー３６によって覆われているため、給油の際に燃料がこぼれても高温のマフラ３７に滴下することはない。
【００１９】
ミッションケース３１の上端には、ハンドルフレーム４０が機体後方上部に向かって設けられており、該ハンドルフレーム４０から左右ハンドル４１Ｌ，４１Ｒが延設されている。管理機３０は、該左右ハンドル４１Ｌ，４１Ｒによって方向操作されると共に、左ハンドル４１Ｌには、デッドマンクラッチからなる主変速用クラッチレバー４２が配設され、右ハンドル４１Ｒには、アクセルレバー４３が配設されている。
【００２０】
一方、ミッションケース３１の中途部には、前方ヒッチ５１及び後方ヒッチ５が設けられており、フェンダ５０がその上部によって固設されている。一枚の板状部材からなる該フェンダ５０は、エンジン３２の下方に位置して該エンジン３２を支承すると共に、機体左右方向に突出して設けられたロータリ爪３３の上方を覆って泥土及び石などの上方への飛散を防止している。
【００２１】
次に本発明の要部である後方フェンダについて説明をする。
【００２２】
図１（ａ），（ｂ）に示すように後方フェンダ１は、後方ヒッチ５の後部に配設され、左右フェンダ板２，３、切換え部材７、スプリング６及び連結シャフト４からなる。上記左右フェンダ板２，３は、共に略々四角形状の板状部材からなり、その上端部の機体内側から中途部に亘り、円筒状に形成されたシャフト取付け部２ａ，３ａが設けられている。該シャフト取付け部２ａ，３ａの内径は、連結シャフト４の外径と略々同じであり、嵌挿した連結シャフト４をクレビスピン８，８及びスナップピンによって固定可能に構成されている。
【００２３】
上記後方ヒッチ５には、貫通孔５ａが設けられており、該貫通孔５ａに連結シャフト４が軸受９を介して挿通される。該連結シャフト４の両端には、左右フェンダ板２，３が固設されていると共に、後方ヒッチ５を挟んで機体後方視左側（Ｘ１方向）では、スプリング６が左フェンダ板３と後方ヒッチ５との間に配設されている。該スプリング６は、左フェンダ板３の取付け部３ａの端面と、後方ヒッチ５の貫通孔５ａから機体左側方（Ｘ１方向）に突出した軸受９の突出側の端面とに当接し、後方フェンダ１をＸ１方向へと常に付勢している。
【００２４】
また、後方ヒッチ５を挟んで機体後方視右側（Ｘ２方向）では、位置決めプレート７’が後方ヒッチ５の右端面に固設されると共に、右フェンダ板２の取付け部２ａから機体内側（Ｘ１方向）に向って回動ピン７ａが突設されている。該回動ピン７ａは後述する位置決めプレート７’の凹部７ｃ，７ｄ，７ｅに嵌挿され、それによって後方フェンダ１の位置決めがなされる切換え部材７を構成する。
【００２５】
図２（ａ），（ｂ）に示すように上述の位置決めプレート７’は、中心に連結シャフト４を挿通する挿通孔７ｂを有する板状部材であり、その外周には、回動ピン７ａが嵌挿される複数の凹部７ｃ，７ｄ，７ｅを有している。該凹部７ｃ，７ｄ，７ｅは、位置決めプレート７’の外周の左右両側及び下部に設けられており、左右両凹部７ｃ，７ｄは、回動ピン７ａと略々同じに形に形成され、該左右両凹部７ｃ，７ｄの間に形成される下凹部７ｅは、一定の幅を持って形成されている。回動ピン７ａは、左右両凹部７ｃ，７ｄにおいて回動不能に固定され、下凹部７ｅにおいてその一定幅の範囲内で回動自在である。
【００２６】
後方フェンダ１は、回動ピン７ａが右凹部７ｄに嵌挿されると上限固定位置ａとなり、左凹部７ｃに嵌挿されると下限固定位置ｂとなる。また、下凹部７ｅに回動ピン７ａが嵌挿されると後方フェンダ１は回動許容位置ｃ〜ｄとなり、下凹部７ｅの右端部に回動ピン７ａが位置すると後方フェンダ１は上方位置ｃに、左端部に回動ピン７ａが位置すると後方フェンダ１は下方位置ｄとなる。
【００２７】
一方、後方ヒッチ５の後部には円筒状に形成された取付け筒５ｂが設けられている。該取付け筒５ｂには、土中に没入することによって機体の不用意な移動を抑え、機体を安定して操作することを可能とする抵抗棒５２ａもしくは移動尾輪１０、培土機などの作業機（被装着部材）が取付けられる。
【００２８】
例えば、図１（ｂ）に示す移動尾輪１０は、車輪１８と、抵抗棒５２ｂと、取付け基盤１２とを備えており、上板１２ａ，中板１２ｂ，下板１２ｃの３層からなる取付け基盤１２の中板１２ｂから延設される嵌挿棒１６が取付け筒５ｂに嵌挿固定されることによって後方ヒッチ５に取付けられている。
【００２９】
上記取付け基盤１２の中央には回転軸１３が設けられており、該回転軸１３が固定されている中板１２ｂ及び下板１２ｃに対し、上板１２ａは回転軸１３を中心として回転可能に構成されている。上板１２ａの上下端部には連結部材１４，１５を介して上述の抵抗棒５２ｂ及び車輪１８が装着されており、上板１２ａを反転させることによってその位置を入れ換えることが出来る。
【００３０】
以下、本実施形態に係る管理機の作用について説明する。
【００３１】
作業者は、管理機３０を使用して耕耘、培土などの作業を行う際、目的に応じて種々の作業機もしくは抵抗棒５２ａを後方ヒッチ５の取付け筒５ｂに装着する。通常の耕耘作業を行う場合、作業者は、上記取付け筒５ｂに抵抗棒５２ａを装着すると共に、後方フェンダ１を回動許容位置ｃ〜ｄに設定してリコイルロープ３８を引いてエンジン３２を始動させる。
【００３２】
エンジン３２が始動すると、作業者は、左右ハンドル４１Ｌ,４１Ｒを握り、抵抗棒５２ａを圃場に沈下させ、左ハンドル４１Ｌに設けられた主変速用クラッチレバー４２を握り、耕耘軸３３ａに設けられたロータリ爪３３を回転駆動させ、耕耘作業を行う。
【００３３】
また、作業者は、後方フェンダ１をＸ２方向に押し付けながら固定位置ａ，ｂまで回動させることによって、後方フェンダ１を固定位置ａ，ｂに固定可能であり、より深く耕耘する際には後方フェンダ１を上限固定位置ａにしてロータリ爪３３をより深く土中に沈める。
【００３４】
作業者は培土器を取付ける際又は移動尾輪１０を反転させて使用する際にも後方フェンダ１を上限固定位置ａへと回動させる。後方フェンダ１は、上限固定位置ａまで回動し、左右フェンダ板２，３を上方へ収納することによって圃場面、培土器等と接触することはない。
【００３５】
一方、アスファルト等の上を移動する際には作業者は、後方フェンダ１を下限固定位置ｂへと回動させ、後方ヒッチ５の取付け筒５ｂに移動尾輪１０を取付ける。後方フェンダ１が下限固定位置ｂにある為、後方フェンダ１は移動尾輪１０と干渉することがないと共に、圃場面とも接触しないで作業者は容易に管理機３０を硬いアスファルトなどの上でもスムーズに移動させることができる。
【００３６】
上記のように管理機３０を構成したことによって、後方フェンダ１は上限固定位置ａ、下限固定位置ｂ及び回動許容位置ｃ〜ｄに切換え可能であり、通常の回動許容位置ｃ〜ｄにおいて後方への泥土もしくは石の飛散を防止するだけでなく、固定位置ａ，ｂにおいて後方フェンダ１を取付けた状態で移動尾輪１０及び培土器等の様々な作業機を干渉することなく取付けることが可能となる。
【００３７】
また、下限固定位置ｂでは移動尾輪１０等の作業機を後方フェンダ１によって後方への泥土もしくは石の飛散を防止しつつ使用することができ、上限固定位置ａでは後方フェンダ１を上方に収納して培土や通常より深い耕耘をすることできるため、管理機３０の作業の幅が広がり、作業効率を向上させることができる。
【図面の簡単な説明】
【００３８】
【図１】（ａ）機体後方からの後方フェンダの平面図。（ｂ）後方フェンダの固定位置及び回動許容位置を示す後方ヒッチ周りの側面図。
【図２】（ａ）後方ヒッチの貫通孔周りの左側面図。（ｂ）後方ヒッチの右側面図。（ｃ）後方ヒッチの上面図。
【図３】（ａ）本実施の形態に係る管理機の上面図。（ｂ）本実施の形態に係る管理機の側面図。
【符号の説明】
【００３９】
１    後方フェンダ
７    切換え部材
７’  位置決めプレート
７ａ  回動ピン
１０  被装着部材（移動尾輪，作業機）
３２  エンジン
３３  ロータリ部材（ロータリ爪）
５０  フェンダ
ａ，ｂ  固定位置
ａ    上限固定位置
ｂ    下限固定位置
ｃ〜ｄ  回動許容位置
【図１】
0005049664.tif 000002
【図２】
0005049664.tif 000003
【図３】
0005049664.tif 000004